(57)【要約】【課題】強固に施錠されていることを外観上明確にして不審者の侵入を抑止する扉装置を提供する。【解決手段】扉装置は、一辺Ｐａで回転可能に支持された外開き式の扉１１と、少なくとも一辺Ｐａに対向する扉の他の辺Ｐｂに隣接する扉枠１２ａと、扉枠１２ａに支持され、施錠状態と解錠状態との間で移動可能な閂部１３ａ、１３ｂと、扉１１の外側から操作可能な錠前１４と、錠前１４の操作に従って閂部１３ａ、１３ｂを駆動する駆動部１５とを備える。施錠状態は、閂部１３ａ、１３ｂの一部分が扉１１の外面に被さっている状態であり、解錠状態は、閂部１３ａ、１３ｂのいずれの部分も扉１１の外面に被さっていない状態である。【選択図】図１
2009263981.tif 000002
【特許請求の範囲】
【請求項１】
一辺で回転可能に支持された外開き式の扉と、
少なくとも前記一辺に対向する前記扉の他の辺に隣接する扉枠と、
前記扉枠に支持され、施錠状態と解錠状態との間で移動可能な閂部と、
前記扉の外側から操作可能な本人認証部を有し、且つ前記本人認証部により認証された本人による指示を受け付ける第１の指示受付部と、
前記第１の指示受付部が受け付けた指示に従って前記閂部を駆動する駆動部とを備え、
前記施錠状態は、前記閂部の一部分が前記扉の外面に被さっている状態であり、前記解錠状態は、前記閂部のいずれの部分も前記扉の外面に被さっていない状態である
ことを特徴とする扉装置。
【請求項２】
前記閂部または前記扉枠の表面に発光部が設けられ、
前記施錠状態において、前記発光部が前記扉の外側に露出し、
前記解錠状態において、前記発光部が前記扉の外側に露出しない
ことを特徴とする請求項１に記載の扉装置。
【請求項３】
前記閂部または前記扉枠の表面に前記閂部及び前記扉枠の色彩と異なる色彩を有する色識別部が設けられ、
前記施錠状態において、前記色識別部が前記扉の外側に露出し、
前記解錠状態において、前記色識別部が前記扉の外側に露出しない
ことを特徴とする請求項１に記載の扉装置。
【請求項４】
前記閂部は、前記解錠状態において、前記扉枠と一体を成していることを特徴とする請求項１または２に記載の扉装置。
【請求項５】
前記扉の内側から操作可能であり、且つ人による指示を受け付ける第２の指示受付部を更に備え、
前記駆動部は、前記第２の指示受付部が受け付けた指示に従って前記閂部を駆動する
ことを特徴とする請求項１から４のいずれか一項に記載の扉装置。
【請求項６】
前記第１の指示受付部は、鍵の挿入及び回転によって鍵を所有する本人を認証し、鍵の回転によって本人による指示を受け付ける錠前からなることを特徴とする請求項１から５のいずれか一項に記載の扉装置。
【発明の詳細な説明】
【技術分野】
【０００１】
本発明は、外開き式の扉の施錠及び解錠を制御する扉装置に関する。
【背景技術】
【０００２】
建物、建物内の各部屋または建物を取り囲む敷地の出入り口或いは建物の窓には通常、扉が設置されている。扉が開かないようにするための簡便な施錠手段として、扉と扉の枠の間、或いは観音開きの場合は一対の扉同士の間に跨って設置される閂、横木またはノックピンなどの棒状部材が従来から知られている。
【０００３】
また、扉の側面と扉枠の側面に連続する穴を形成し、ノックピンをこの穴に挿入して扉と扉枠の間をノックピンが貫通することにより、扉を開かないようにする施錠装置が知られている（特許文献１参照）。特許文献１の施錠装置では、扉が施錠された状態においてノックピンを扉と扉枠の間に隠して、扉の施錠箇所を外側から分りにくくして防犯効果を高めている。
【特許文献１】特開平１１−３２４４３０号公報
【発明の開示】
【発明が解決しようとする課題】
【０００４】
しかし、特許文献１の施錠装置は扉が施錠された状態においてノックピンを隠蔽してしまうので、扉の外側から見て扉が施錠されているか否かが分らず、扉が施錠されていることを外観上、明確に示すことができない。よって、人目を気にしながら扉を開けて侵入しようとする不審者に、侵入を思い留まらせることができない。また、外出しようとする家人が扉の外側から当該扉が施錠されていることを容易に確認することができない。
【０００５】
本発明は上記の問題点に鑑みて成されたものであり、その目的は、強固に施錠されていることを外観上明確にして不審者の侵入を抑止する扉装置を提供することである。
【課題を解決するための手段】
【０００６】
本発明の特徴は、一辺で回転可能に支持された外開き式の扉と、少なくとも一辺に対向する扉の他の辺に隣接する扉枠と、扉枠に支持され、施錠状態と解錠状態との間で移動可能な閂部と、扉の外側から操作可能な本人認証部を有し、且つ本人認証部により認証された本人による指示を受け付ける第１の指示受付部と、第１の指示受付部が受け付けた指示に従って閂部を駆動する駆動部とを備える扉装置であることを要旨とする。
【０００７】
ここで、「施錠状態」は、閂部の一部分が扉の外面に被さっている状態であり、「解錠状態」は、閂部のいずれの部分も扉の外面に被さっていない状態である。
【０００８】
本発明の特徴によれば、扉枠に支持された閂部の一部分が扉の外面に被さることにより、扉を外側へ回転させて開くことができなくなる、すなわち、外開きの扉は施錠される。扉の外面に閂部の一部が被さっているので、扉が施錠されていることが外観上、明確になる。よって、人目を気にしながら扉を開けて侵入しようとする不審者に、侵入を思い留まらせることができる。また、家人は、扉の外部から閂部の状態を見て扉が施錠されていることを容易に確認することができる。
【０００９】
閂部または扉枠の表面に、発光部、或いは閂部及び扉枠の色彩と異なる色彩を有する色識別部が設けられ、施錠状態において、発光部或いは色識別部が扉の外側に露出し、解錠状態において、発光部或いは色識別部が扉の外側に露出しないようにしてもよい。これにより、閂部が施錠状態にあることが外観上、更に明確になる。
【００１０】
閂部は、解錠状態において、扉枠と一体を成していてもよい。これにより、扉装置が施錠手段として閂部を備えていること及び閂部が判別しにくくなり、不審者に解錠状態であることを想起しにくくすることができる。
【００１１】
扉装置は、扉の内側から操作可能であり、且つ人による指示を受け付ける第２の指示受付部を更に備え、駆動部は、第２の指示受付部が受け付けた指示に従って閂部を駆動してもよい。これにより、鍵の挿入及び回転や、暗証番号の入力、非接触式カードの読込などの本人認証を行うことなく、扉の内側から誰でも簡単に閂部を操作することができる。
【００１２】
第１の指示受付部は、鍵の挿入及び回転によって鍵を所有する本人を認証し、鍵の回転によって本人による指示を受け付ける錠前によって構成してもよい。これにより、「鍵を鍵穴に挿入して回転させる」という周知の行為によって閂部を操作することができるので、不慣れなユーザにとっても操作が容易な扉装置を提供することができる。
【発明の効果】
【００１３】
本発明の扉装置によれば、強固に施錠されていることを外観上明確にして不審者の侵入を抑止することができる。
【発明を実施するための最良の形態】
【００１４】
以下図面を参照して、本発明の実施形態を説明する。図面の記載において同一部分には同一符号を付して説明を省略する。
【００１５】
先ず、図１を参照して、本発明の実施の形態に係わる扉装置の全体構成を説明する。本発明の実施の形態では、建物の出入り口に設置されている外開き式の扉１１を備える扉装置について説明する。建物の出入り口には建物の玄関、勝手口や通用口などが含まれ、扉１１には玄関に設置される玄関扉、勝手口や通用口に設置される勝手口扉や通用口扉が含まれる。
【００１６】
図１に示す扉装置は、扉１１と、扉１１の周囲をかこむ扉枠１２と、扉枠１２に支持された閂部１３ａ及び１３ｂと、扉１１の外側から操作可能な錠前１４と、閂部１３ａ及び１３ｂを駆動する駆動部１５とを備える。
【００１７】
扉１１は方形の板状の部材から成り、扉１１の一辺Ｐａに蝶番２０ａ、２０ｂ及び２０ｃが取り付けられ、蝶番２０ａ、２０ｂ及び２０ｃは扉１１を扉枠１２に対して回転可能に支持している。図１は扉１１の外面から見た正面図であり、蝶番２０ａ、２０ｂ及び２０ｃは、扉１１が外側へ回転して開くように設置されている。
【００１８】
扉枠１２は、扉１１の一辺Ｐａ、一辺Ｐａに対向する他の辺Ｐｂ、及び一辺Ｐａと他の辺Ｐｂを上部で繋ぐ上辺Ｐｃに隣接している。扉１１の一辺Ｐａに隣接する扉枠１２の部分には蝶番２０ａ、２０ｂ及び２０ｃが取り付けられている。扉枠１２の外周は建物の壁１９によって囲まれている。
【００１９】
なお、実施の形態では、扉１１の一辺Ｐａ、他の辺Ｐｂ及び上辺Ｐｃに隣接している扉枠１２について説明するが、回転可能に支持された扉１１の一辺Ｐａに対向する他の辺Ｐｂに隣接する部分のみからなる扉枠１２ａであっても構わない。この場合、扉１１の一辺Ｐａ及び上辺Ｐｃは壁１９に隣接する。
【００２０】
閂部１３ａ及び１３ｂは第１の閂部１３ａ及び第２の閂部１３ｂからなる。第１の閂部１３ａ及び第２の閂部１３ｂは、それぞれ扉１１の他の辺Ｐｂに隣接する扉枠１２ａに支持されている。駆動部１５は扉枠１２ａの内部に配置されている。錠前１４は、扉１１の他の辺Ｐｂ近傍に配置されている。扉１１はその外面側に取っ手１８ａを備える。取っ手１８ａも錠前１４と同様に扉１１の他の辺Ｐｂ近傍に配置されている。
【００２１】
図２を参照して、図１の第１及び第２の閂部１３ａ、１３ｂ周辺の詳細な構成を説明する。第１の閂部１３ａ及び第２の閂部１３ｂは、扉枠１２ａに沿って垂直方向に並べられている。駆動部１５は、第１の閂部１３ａと第２の閂部１３ｂの間に配置されている。錠前１４及び取っ手１８ａは、他の辺Ｐｂ近傍であって駆動部１５に隣接する部分に配置されている。
【００２２】
錠前１４は、扉１１の外面に露出した鍵穴３９を有する。扉１１の外側から錠前１４に合致する鍵を鍵穴３９に挿入し、挿入された鍵を回転させることができる。この鍵の挿入及び回転により、錠前１４は、扉１１の施錠及び解錠を制御するための電気信号を駆動部１５へ送信する。この電気信号を受信した駆動部１５は第１及び第２の閂部１３ａ及び１３ｂを駆動する。第１及び第２の閂部１３ａ及び１３ｂは、駆動部１５によって、所定の施錠状態及び解錠状態の間を移動する。このように、錠前１４は、電子的な操作によって第１及び第２の閂部１３ａ及び１３ｂの施錠状態及び解錠状態を制御する。
【００２３】
なお、錠前１４は、本人にだけ扉１１の施錠及び解錠を許可するために、図３に示すように、ユーザによる指示を受け付ける第１の指示受付部２２としての機能とを備える。第１の指示受付部２２は、鍵を所有する本人を認証する本人認証部２１としての機能を有し、本人認証部２１により本人であることが認証されたユーザからの指示を受け付ける。具体的に、本人認証部２１は、鍵の挿入及び回転によって錠前１４に合致する鍵を所有する本人を認証する。そして、第１の指示受付部２２は、挿入された鍵の回転によって本人による指示を受け付ける。
【００２４】
本発明の実施の形態では、扉１１の外側から操作可能な第１の指示受付部２２の一例として錠前１４について説明するが、これに限ることなく、錠前１４の代わりに或いは錠前１４と組み合わせて、暗証番号、非接触式ＩＣカード、生体認証などの他の本人認証手段、及びサムターンなどの回転式つまみや押下げ式ボタンなどの他の指示受付手段を用いても構わない。
【００２５】
図４（ａ）及び図４（ｂ）を参照して、図１の第１の閂部１３ａ及び第２の閂部１３ｂの動作を説明する。
【００２６】
図４（ａ）は第１の閂部１３ａの施錠状態を示す。施錠状態は、第１の閂部１３ａ及び第２の閂部１３ｂの一部分が扉１１の外面に被さっている状態である。第１の閂部１３ａ及び第２の閂部１３ｂの他の一部分は扉枠１２ａに重なり且つ扉枠１２ａに強固に支持されている。第１の閂部１３ａ及び第２の閂部１３ｂの一部分が扉１１の外面に被さり、他の一部分が扉枠１２ａに強固に支持されることにより、扉１１を外側へ回転させて開くことができなくなる、すなわち、外開きの扉１１は施錠される。第１の閂部１３ａ、第２の閂部１３ｂの外面の一部に、第１の閂部１３ａ、第２の閂部１３ｂ及び扉枠１２ａの色彩と異なる色彩を有する色識別部２５ａ及び２５ｂが設けられている。施錠状態において、色識別部２５ａ及び２５ｂは扉１１の外側にそれぞれ露出する。
【００２７】
図４（ｂ）は第１の閂部１３ａ及び第２の閂部１３ｂの解錠状態を示す。解錠状態は、第１の閂部１３ａ及び第２の閂部１３ｂのいずれの部分も扉１１の外面に被さっていない状態である。扉枠１２ａに支持された第１の閂部１３ａ及び第２の閂部１３ｂのいずれの部分も扉１１の外面に被さっていないので、扉１１を外側へ回転させて開くことができる、すなわち、外開きの扉１１は解錠される。解錠状態において、色識別部２５ａ及び２５ｂは、壁１９の内側に隠蔽されて扉１１の外側に露出していない。
【００２８】
図示を省略する駆動部は、錠前１４から受信する電気信号に従って第１の閂部１３ａ及び第２の閂部１３ｂを駆動し、第１の閂部１３ａ及び第２の閂部１３ｂは、駆動部１５によって、図４（ａ）の施錠状態と図４（ｂ）の解錠状態の間を移動する。図４（ａ）及び図４（ｂ）を参照して説明した本発明の実施の形態における動作例において、第１の閂部１３ａ及び第２の閂部１３ｂは施錠状態と解錠状態の間を平行移動する。
【００２９】
なお、第１及び第２の閂部１３ａ、１３ｂは、図４（ｂ）の解錠状態において、扉枠１２ａと一体を成している。具体的に、第１の閂部１３ａ及び第２の閂部１３ｂの表面には、扉枠１２ａと同一の色彩が付され、同一の表面処理が施されている。第１の閂部１３ａ及び第２の閂部１３ｂの表面は、扉枠１２ａの表面とほぼ同一の平面上に位置している。扉１１に隣接する第１の閂部１３ａ及び第２の閂部１３ｂの辺は、扉１１に隣接する扉枠１２ａの辺とほぼ同一の直線上に位置している。第１の閂部１３ａ及び第２の閂部１３ｂと扉枠１２ａの隙間は可能な限りにおいて狭められている。
【００３０】
図５（ａ）は図１の扉装置を扉１１の内面側から見た背面図であり、図５（ｂ）は図５（ａ）の扉１１及び扉枠１２ａの一部分を拡大した背面図である。図５（ａ）に示すように、扉１１の内面側から見ると、扉１１の一辺Ｐａと他の辺Ｐｂが図１と左右反転し、扉枠１２ａ、蝶番２０ａ〜２０ｃ及び取っ手１８ｂの位置も図１と左右反転する。取っ手１８ｂは、扉１１の図１の取っ手１８ａに対応する位置に固定されている。
【００３１】
図５（ｂ）に示すように、錠前１４は、図１の鍵穴３９に対応する位置に設置されたサムターン３８を備える。サムターン３８は扉１１の内側から人の指でつまんで回転することができる。サムターン２３を回転することにより、外側から鍵穴３９に挿入された鍵を回転する場合と同様にして、錠前１４は扉１１の施錠及び解錠を制御するための電気信号を図示しない駆動部１５へ送信する。
【００３２】
このように、錠前１４は、図３に示すように、扉１１の内側から操作可能であり且つ本人認証の有無に係わらず人による指示を受け付ける第２の指示受付部２３を備える。サムターン３８は第２の指示受付部２３の一例である。駆動部１５は、サムターン３８が受け付けた人による指示に従って第１の閂部１３ａ及び第２の閂部１３ｂを駆動する。
【００３３】
以上説明したように、本発明の実施の形態によれば、以下の作用効果が得られる。
【００３４】
第１の閂部１３ａ及び第２の閂部１３ｂの一部分が扉１１の外面に被さることにより、扉１１を外側へ回転させて開くことができなくなる、すなわち、外開きの扉１１は施錠される。扉１１の外面に第１の閂部１３ａ及び第２の閂部１３ｂの一部が被さっているので、扉１１が施錠されていることが外観上、明確になる。また、施錠状態において扉枠１２ａに強固に支持された第１の閂部１３ａ及び第２の閂部１３ｂの一部分が扉１１の外面に被さるので、外開き式の扉１１が強固に施錠されていることが外観上、明確になる。よって、人目を気にしながら扉１１を開けて侵入しようとする不審者に、侵入を思い留まらせることができる。また、家人は、第１の閂部１３ａ及び第２の閂部１３ｂの一部分が扉１１の外面に被っている状態を見て扉１１が施錠されていることを容易に確認することができる。
【００３５】
図４（ａ）に示す施錠状態において色識別部２５ａ、２５ｂは扉１１の外側にそれぞれ露出し、図４（ｂ）の解錠状態において色識別部２５ａ及び２５ｂは壁１９の内側に隠蔽されて色識別部２５ａ、２５ｂは扉１１の外側に露出しない。よって、第１の閂部１３ａ及び第２の閂部１３ｂが施錠状態にあることが外観上、更に明確になる。
【００３６】
第１の閂部１３ａ及び第２の閂部１３ｂは、図４（ｂ）の解錠状態において、扉枠１２ａと一体を成している。これにより、扉装置が施錠手段として第１の閂部１３ａ及び第２の閂部１３ｂを備えていること及び第１の閂部１３ａ及び第２の閂部１３ｂが解錠状態であることが扉１１の外側から判別しにくくなり、不審者の侵入を抑制することができる。
【００３７】
サムターン３８は本人認証の有無にかかわらず扉１１の内側から人による指示を受け付け、サムターン３８が受け付けた指示に従って第１の閂部１３ａ及び第２の閂部１３ｂは駆動されるので、鍵の挿入及び回転や、暗証番号の入力、非接触式カードの読込などの本人認証を行うことなく、扉の内側から誰でも簡単に第１の閂部１３ａ及び第２の閂部１３ｂを操作することができる。
【００３８】
図３の第１の指示受付部２２の機能は、鍵の挿入及び回転によって鍵を所有する本人を認証し、鍵の回転によって本人による指示を受け付ける錠前１４によって実現されている。これにより、「鍵を鍵穴に挿入して回転させる」という周知の行為によって第１の閂部１３ａ及び第２の閂部１３ｂを操作することができるので、不慣れなユーザにとっても操作が容易になる。
（変形例）
変形例では、第１の閂部１３ａ及び第２の閂部１３ｂが施錠状態と解錠状態の間で回転移動し、施錠状態において扉枠１２ａ上に発光部の例として半導体発光素子（ＬＥＤ）３５ａ、３５ｂが扉１１の外側に露出し且つ点灯する場合について説明する。
【００３９】
図６は、変形例に係わる扉装置の扉１１及び扉枠１２ａの一部分を拡大して、扉１１の外面側から見た時の正面図である。第１の閂部３３ａ及び第２の閂部３３ｂは、扉１１の他の辺Ｐｂに隣接する扉枠１２ａにそれぞれ支持されている。具体的に、第１の閂部３３ａ及び第２の閂部３３ｂは、回転軸３４ａ、３４ｂによって扉枠１２ａに回転可能に支持されている。
【００４０】
図６の実線で示す第１の閂部３３ａ及び第２の閂部３３ｂは施錠状態を示し、図６の二点破線で示す第１の閂部３３ａ及び第２の閂部３３ｂは解錠状態を示す。第１の閂部３３ａ及び第２の閂部３３ｂのそれぞれは、施錠状態と解錠状態の間を回転軸３４ａ、３４ｂを中心として回転移動することができる。
【００４１】
扉１１の外側から錠前１４に対応する鍵を鍵穴３９に挿入し、挿入された鍵を回転させることができる。この鍵の挿入及び回転により、錠前１４は、扉１１の施錠及び解錠を制御するための電気信号を図示しない駆動部へ送信する。この電気信号を受信した駆動部は第１の閂部３３ａ及び第２の閂部３３ｂを駆動する。第１の閂部３３ａ及び第２の閂部３３ｂは、駆動部によって、図６に示す所定の施錠状態及び解錠状態の間を回転移動する。このように、錠前１４は、電子的な操作によって第１の閂部３３ａ及び第２の閂部３３ｂの施錠状態及び解錠状態を制御する。
【００４２】
施錠状態において、第１の閂部３３ａ及び第２の閂部３３ｂの一部分が扉１１の外面に被さる。これにより、扉１１を外側へ回転させて開くことができなくなる、すなわち、外開きの扉１１は施錠される。扉枠１２ａの外面にはＬＥＤ３５ａ及び３５ｂが設けられている。施錠状態において、ＬＥＤ３５ａ及び３５ｂは扉１１の外側に露出し、ＬＥＤ３５ａ及び３５ｂは点灯される。
【００４３】
解錠状態において、第１の閂部３３ａ及び第２の閂部３３ｂのいずれの部分も扉１１の外面に被さっていない。これにより、扉１１を外側へ回転させて開くことができる、すなわち、外開きの扉１１は解錠される。解錠状態において、ＬＥＤ３５ａ及び３５ｂは、第１の閂部３３ａ及び第２の閂部３３ｂによって隠蔽されて扉１１の外側に露出しない。また、ＬＥＤ３５ａ及び３５ｂを消灯してもよい。
【００４４】
図示しない駆動部は、錠前１４から受信する電気信号に従って第１の閂部３３ａ及び第２の閂部３３ｂを駆動し、第１の閂部３３ａ及び第２の閂部３３ｂは、駆動部によって、図６の実線で示す施錠状態と二点破線で示す解錠状態の間を回転移動する。
【００４５】
なお、第１の閂部３３ａ及び第２の閂部３３ｂは、図６の解錠状態において、扉枠１２ａと一体を成している。具体的に、第１の閂部３３ａ及び第２の閂部３３ｂの表面には、扉枠１２ａと同一の色彩が付され、同一の表面処理が施されている。第１の閂部３３ａ及び第２の閂部３３ｂの表面は、扉枠１２ａの表面とほぼ同一の平面上に位置している。扉１１に隣接する第１の閂部３３ａ及び第２の閂部３３ｂの辺は、扉１１に隣接する扉枠１２ａの辺とほぼ同一の直線上に位置している。第１の閂部３３ａ及び第２の閂部３３ｂと扉枠１２ａの隙間は可能な限りにおいて狭められている。
（その他の実施の形態）
上記のように、本発明は、１つの実施形態及びその変形例によって記載したが、この開示の一部をなす論述及び図面はこの発明を限定するものであると理解すべきではない。この開示から当業者には様々な代替実施の形態、実施例及び運用技術が明らかとなろう。
【００４６】
実施の形態では、閂部が２つの閂部からなる場合について説明したが、閂部の数はこれに限られず、１つ或いは３つ以上であっても構わない。
【００４７】
また、第１及び第２の閂部１３ａ、１３ｂの幅が扉枠１２ａの幅よりも広い場合を説明したが、第１及び第２の閂部１３ａ、１３ｂの幅は扉枠１２ａの幅と同じであってよい。この場合、解錠状態において、扉１１に隣接する第１の閂部１３ａ及び第２の閂部１３ｂの辺は、扉１１に隣接する扉枠１２ａの辺とほぼ同一の直線上に位置し、且つ壁１９に隣接する第１の閂部１３ａ及び第２の閂部１３ｂの辺は、壁１９に隣接する扉枠１２ａの辺とほぼ同一の直線上に位置することになる。これにより、解錠状態において、第１及び第２の閂部１３ａ、１３ｂは、扉枠１２ａと一体を成すことができる。
【００４８】
また或いは、第１及び第２の閂部１３ａ、１３ｂの幅が扉枠１２ａの幅よりも狭くても構わない。この場合、解錠状態において、扉１１に隣接する第１の閂部１３ａ及び第２の閂部１３ｂの辺は、扉１１に隣接する扉枠１２ａの辺とほぼ同一の直線上に位置し、且つ壁１９に隣接する第１の閂部１３ａ及び第２の閂部１３ｂの辺は、壁１９に隣接する扉枠１２ａの辺よりも扉１１側に位置することになる。そこで、壁１９に隣接する扉枠１２ａの辺と壁１９に隣接する第１の閂部１３ａ及び第２の閂部１３ｂの辺によって形成される領域には、第１の閂部１３ａ及び第２の閂部１３ｂの外面と同じ平面上に位置するように、扉枠１２ａの外面を形成する。これにより、解錠状態において、第１及び第２の閂部１３ａ、１３ｂは、扉枠１２ａと一体を成すことができる。
【００４９】
また、実施の形態では、色識別部２５ａ、２５ｂが第１及び第２の閂部１３ａ、１３ｂの外面に設けられている場合について説明したが、本発明はこれに限らない。色識別部は、扉枠１２ａの外面であって、且つ、解錠状態において第１及び第２の閂部１３ａ、１３ｂによって隠蔽されて扉１１の外側に露出せず、施錠状態において扉１１の外側に露出するような位置に設けても構わない。
【００５０】
実施の形態では、建物の出入り口に設置された玄関扉、勝手口扉や通用口扉などを含む扉１１について説明した。しかし、本発明は、建物、建物内の各部屋または建物を取り囲む敷地の出入り口或いは建物の窓に設置される、あらゆる外開き式の扉に対して適用可能である。
【００５１】
更に、色識別部２５ａ、２５ｂの代わりに、或いは色識別部２５ａ、２５ｂに組み合わせて、ＬＥＤ３５ａ及び３５ｂを設けても構わない。この場合、ＬＥＤ３５ａ及び３５ｂは、第１の閂部１３ａ及び第２の閂部１３ｂの表面、又は扉枠１２ａの表面に設置され、施錠状態において点灯し、解錠状態において消灯させる。ＬＥＤ３５ａ及び３５ｂを第１の閂部１３ａ及び第２の閂部１３ｂの表面にそれぞれ取り付ける場合、図４（ａ）の施錠状態においてＬＥＤ３５ａ及び３５ｂを扉１１の外側に露出させ、図４（ｂ）の解錠状態においてＬＥＤ３５ａ及び３５ｂを壁１９の内側に隠蔽させてもよい。
【００５２】
変形例において、ＬＥＤ３５ａ及び３５ｂを、扉枠１２ａの表面の代わりに、第１の閂部３３ａ及び第２の閂部３３ｂの表面に設置しても構わない。この場合、ＬＥＤ３５ａ及び３５ｂは常時、扉１１の外側に露出されるので、施錠状態においてＬＥＤ３５ａ及び３５ｂを点灯し、解錠状態において消灯させる。
【００５３】
また、ＬＥＤ３５ａ及び３５ｂの代わりに、或いはＬＥＤ３５ａ及び３５ｂと組み合わせて、施錠状態において露出し、解錠状態において第１の閂部３３ａ及び第２の閂部３３ｂによって隠蔽される色識別部２５ａ、２５ｂを設けてもよい。
【００５４】
このように、本発明はここでは記載していない様々な実施の形態等を包含するということを理解すべきである。したがって、本発明はこの開示から妥当な特許請求の範囲に係る発明特定事項によってのみ限定されるものである。
【図面の簡単な説明】
【００５５】
【図１】本発明の実施の形態に係わる扉装置が備える扉１１の外面側から見た正面図である。
【図２】図１の扉１１及び扉枠１２ａの一部分を拡大した正面図である。
【図３】錠前１４が備える機能的な構成を示すブロック図である。
【図４】図１の第１及び第２の閂部１３ａ、１３ｂの動作を説明する図であり、図４（ａ）は施錠状態を示し、図４（ｂ）は解錠状態を示す。
【図５】図５（ａ）は図１の扉装置を扉１１の内面側から見た背面図であり、図５（ｂ）は図５（ａ）の扉１１及び扉枠１２ａの一部分を拡大した背面図である。
【図６】変形例に係わる扉装置の扉１１及び扉枠１２ａの一部分を拡大した正面図である。
【符号の説明】
【００５６】
１１…扉
１２、１２ａ…扉枠
１３ａ、３３ａ…第１の閂部
１３ｂ、３３ｂ…第２の閂部
１４…錠前
１５…駆動部
１８ａ、１８ｂ…取っ手
１９…壁
２０ａ〜２０ｃ…蝶番
２１…本人認証部
２２…第１の指示受付部
２３…第２の指示受付部
２５ａ，２５ｂ…色識別部
３４ａ、３４ｂ…回転軸
３５ａ，３５ｂ…半導体発光素子（ＬＥＤ）
３８…サムターン
３９…鍵穴
Ｐａ…一辺
Ｐｂ…他の辺
Ｐｃ…上辺
【図１】
2009263981.tif 000003
【図２】
2009263981.tif 000004
【図３】
2009263981.tif 000005
【図４】
2009263981.tif 000006
【図５】
2009263981.tif 000007
【図６】
2009263981.tif 000008